Podtech/llm-jp-corpus-v4-ja_patent huggingface dataset:
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
ポリマーフィルム−金属複合体の調製方法であって、
組成物を表面上に堆積させることであって、前記組成物が、
カチオン性金属前駆体、
複数の光重合性基を含むポリマーフィルム前駆体、および
光還元剤−光開始剤、を含む、堆積させることと、
同時に前記カチオン性金属を還元し、前記光重合性基を重合させて、前記表面上に前記ポリマーフィルム−金属複合体を得る条件下で前記組成物を照射することと、を含み、
前記光重合性基が、アクリレート基である、
方法。
【請求項２】
前記照射することが、前記表面上に堆積された前記組成物のフラッド露光を含む、請求項１に記載の方法。
【請求項３】
前記表面が、パターンでインプリントされる、請求項２に記載の方法。
【請求項４】
前記照射することが、パターンを定義するマスクを通しての、前記表面上に堆積された前記組成物の露光を含む、請求項１〜３のいずれか一項に記載の方法。
【請求項５】
前記複合体を前記表面上に残す条件下で、未露光の組成物を除去することをさらに含む、請求項４に記載の方法。
【請求項６】
前記表面が、中空空洞の内面である、請求項１〜５のいずれか一項に記載の方法。
【請求項７】
前記組成物が、前記ナノ粒子をキャップするかつ／または安定化させる薬剤をさらに含む、請求項１〜６のいずれか一項に記載の方法。
【請求項８】
前記ポリマーフィルム前駆体が、複数の金属定着基をさらに含む、請求項１〜７のいずれか一項に記載の方法。
【請求項９】
前記カチオン性金属前駆体が、カチオン性金前駆体、カチオン性銀前駆体、カチオン性銅前駆体、またはこれらの組み合わせである、請求項１〜８のいずれか一項に記載の方法。
【請求項１０】
前記ポリマーフィルム前駆体が、
２つ以上の光重合性基を含むモノマーと、少なくとも１つの金属定着基および少なくとも１つの前記光重合性基と反応する基を含むアンカー前駆体と、を反応させること、を含む方法から得られる、請求項８または９に記載の方法。
【請求項１１】
前記モノマーの水溶液が、前記アンカー前駆体の水溶液と反応する、請求項１０に記載の方法。
【請求項１２】
前記少なくとも１つの金属定着基および前記少なくとも１つの前記光重合性基と反応する基が、同じであり、前記アンカー前駆体が、二官能性チオール、二官能性一級アミン、または二官能性シランである、請求項１０に記載の方法。
【請求項１３】
前記アンカー前駆体が、ジチオスレイトールである、請求項１２に記載の方法。
【請求項１４】
前記モノマーが、オリゴマーポリ（エチレングリコール）をさらに含む、請求項１０に記載の方法。
【請求項１５】
前記モノマーが、ポリ（エチレングリコール）−ジアクリレート（ＰＥＧＤＡ）またはエトキシル化トリメチロールプロパントリアクリレート（ＥＴＰＴＡ）である、請求項１４に記載の方法。
【請求項１６】
前記モノマーがＰＥＧＤＡである、請求項１５に記載の方法。
【請求項１７】
ポリマー樹脂フィルム中に埋め込まれた金属ナノ粒子の均一な分布を含むポリマーフィルム−金属ナノ粒子複合体であって、前記ポリマー樹脂が、複数の金属定着基を含み、前記金属定着基が、前記ナノ粒子に定着した、ポリマーフィルム−金属ナノ粒子複合体。
【請求項１８】
前記金属定着基が、二官能性チオール、二官能性一級アミン、または二官能性シランから誘導される、請求項１７に記載の複合体。
【請求項１９】
前記金属定着基が、ジチオスレイトールから誘導される、請求項１８に記載の複合体。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
ポリマー微小粒子−金属ナノ粒子複合体を調製する方法であって、前記方法が、
マイクロ流体デバイスに組成物を導入することであって、前記組成物が、
カチオン性金属ナノ粒子前駆体、
複数の光重合性基を含むポリマー微小粒子前駆体、および
光還元剤−光開始剤、を含む、導入することと、
前記カチオン性金属を還元すると同時に前記光重合性基を重合させる条件下で前記組成物を照射して、前記ポリマー微小粒子−金属ナノ粒子複合体を得ることと、を含む、方法。
【請求項２】
前記組成物が、前記ナノ粒子をキャップおよび／または安定化する化学物質をさらに含む、請求項１に記載の方法。
【請求項３】
前記ポリマー微小粒子前駆体が、複数の金属アンカー基をさらに含む、請求項１に記載の方法。
【請求項４】
前記条件が、前記組成物を前記マイクロ流体デバイス内の微小チャネルを通して流動させることと、前記流動している組成物を、微小粒子形状を画定するマスクを通して照射することと、を含む、請求項１〜３のいずれか一項に記載の方法。
【請求項５】
前記条件が、前記組成物の液滴を形成することと、次いで、前記液滴を照射することと、を含む、請求項１〜３のいずれか一項に記載の方法。
【請求項６】
前記ポリマー微小粒子前駆体が、
２つ以上の光重合性基を含むモノマーを、少なくとも１つの金属アンカー基および前記光重合性基と反応する少なくとも１つの基を含むアンカー前駆体と反応させることを含む方法から得られる、請求項３〜５のいずれか一項に記載の方法。
【請求項７】
前記少なくとも１つの金属アンカー基と、前記光重合性基と反応する前記少なくとも１つの基とが同じであり、前記アンカー前駆体が、二官能性チオール、二官能性一級アミンまたは二官能性シランである、請求項６に記載の方法。
【請求項８】
前記モノマーが、オリゴマーポリ（エチレングリコール）をさらに含む、請求項６または７に記載の方法。
【請求項９】
分析物結合生体分子により、前記ポリマー微小粒子−金属ナノ粒子の表面を官能化することをさらに含む、請求項１〜８のいずれか一項に記載の方法。
【請求項１０】
前記組成物が、複数のポリメラーゼ連鎖反応（ＰＣＲ）プライマーをさらに含む、請求項１〜９のいずれか一項に記載の方法。
【請求項１１】
前記カチオン性金属ナノ粒子前駆体が、カチオン性金ナノ粒子前駆体、カチオン性銀ナノ粒子前駆体、カチオン性銅ナノ粒子前駆体またはそれらの組み合わせである、請求項１〜１０のいずれか一項に記載の方法。
【請求項１２】
ポリマー樹脂微小粒子に埋め込まれた金属ナノ粒子の均一な分布を含むポリマー微小粒子−金属ナノ粒子複合体であって、前記ポリマー樹脂が複数の金属アンカー基を含み、前記金属アンカー基が前記ナノ粒子にアンカーされている、ポリマー微小粒子−金属ナノ粒子複合体。
【請求項１３】
前記ポリマー樹脂が、アクリレート樹脂であり；前記金属アンカー基が、二官能性チオール、二官能性一級アミンおよび二官能性シランからなる群より選ばれ；または、前記金属ナノ粒子が、金ナノ粒子、銀ナノ粒子、銅ナノ粒子、並びに、金、銀、および銅のうちの２つ以上の組み合わせを含むナノ粒子からなる群より選ばれる、請求項１２に記載のポリマー微小粒子−金属ナノ粒子複合体。
【請求項１４】
前記ポリマー樹脂が、オリゴマーポリ（エチレングリコール）をさらに含む、請求項１２または１３に記載の複合体。
【請求項１５】
前記複合体の表面に連結された複数の分析物結合生体分子をさらに含む、請求項１２〜１４のいずれか一項に記載の複合体。
【請求項１６】
液体試料中の分析物の存在を検出するための比色方法であって、前記方法が、
前記分析物に結合する分析物結合生体分子を含む、請求項１５に記載の複合体を、前記分析物結合分子が前記分析物に結合するための条件下で前記試料に曝露することと、
前記複合体への曝露後に前記試料を比色分析して、前記分析物が前記試料に存在するかどうかを判断することと、を含む、方法。
【請求項１７】
ポリメラーゼ連鎖反応（ＰＣＲ）を実施するための、チャンバーにおけるプラズモニックビーズヒーターとしての、請求項１２〜１４のいずれか一項に記載の微小粒子−金属ナノ粒子複合体の使用。
【手続補正書】
【提出日】令和3年8月30日(2021.8.30)
【手続補正１】
【補正対象書類名】特許請求の範囲
【補正対象項目名】全文
【補正方法】変更
【補正の内容】
【特許請求の範囲】
【請求項１】
熱分解油を処理する方法であって、
前記油の極性を非極性溶媒で調整することと、
不要な成分を粘土に結合させることと、
前記非極性溶媒にクリーンな油を溶出させることと、
前記油から前記非極性溶媒を分離することと、
を含む、方法。
【請求項２】
前記非極性溶媒としてアルカンを使用することを含む、請求項１に記載の方法。
【請求項３】
４乃至１０個の炭素を含むアルカンからなる群から選択されるアルカンを使用することを含む、請求項２に記載の方法。
【請求項４】
４乃至１０個の炭素を含むアルカンからなる群から選択される２種以上のアルカンの混合物を使用することを含む、請求項２に記載の方法。
【請求項５】
前記油及びアルカンを混合させて極性を調整することを含む、請求項２に記載の方法。
【請求項６】
前記油及びアルカンを、好ましくは油対アルカンが約１：２乃至１：３０の比で混合させることを含む、請求項５に記載の方法。
【請求項７】
前記油及びアルカンを混合させた後、それを少なくとも３０分間放置させて沈殿させることを含む、請求項５に記載の方法。
【請求項８】
前記油からの前記溶媒の分離を蒸発によって行うことを含む、請求項１に記載の方法。
【請求項９】
前記粘土としてアタパルジャイトを使用することを含む、請求項１に記載の方法。
【請求項１０】
前記処理のサイクルの前に、前記粘土を活性化することを含む、請求項１に記載の方法。
【請求項１１】
前記粘土と油の重量比が約４：１乃至２０：１であることを含む、請求項１に記載の方法。
【請求項１２】
前記油の前記処理の次のサイクルを行う前に、前記粘土を浄化することを含む、請求項１に記載の方法。
【請求項１３】
極性溶媒を使用して前記粘土を浄化することを含む、請求項１２に記載の方法。
【請求項１４】
前記不要な成分を粘土に結合させる処理を行う際にカラムを使用することを含む、請求項１に記載の方法。
【請求項１５】
カラム空隙容量１リットルにつき毎時約０．１乃至０．６リットルのカラム流量で、前記カラムを通る前記油−アルカン混合物の流れを生じさせることを含む、請求項１４に記載の方法。
【請求項１６】
熱分解油を処理するための装置であって、
前記熱分解油と非極性溶媒の混合物を収容するための第１の容器と、
前記非極性溶媒を蒸発させるための加熱器と、
蒸発した前記非極性溶媒を収容して凝縮するための第１の凝縮器と、
前記凝縮器から凝縮された蒸気を受け取り、それから前記非極性溶媒を第２の容器へと溶出させるための粘土カラムと、
を含む装置。
【請求項１７】
熱分解油を処理するための装置であって、
前記油と非極性溶媒の混合物を保持するための第１の容器と、
前記混合物を収容するための粘土カラムと、
前記粘土カラムを通過する前記混合物を収容するための第２の容器であって、前記油は蒸発しないが、前記混合物を前記非極性溶媒が蒸発する温度まで加熱するように構成された第２の容器と、
前記蒸気を凝縮する凝縮器と、
前記第２の容器に油のみが残るまで前記凝縮された蒸気を収容するための第３の容器と、
運転サイクルの後、粘土浄化材料を前記粘土カラムに送る送達手段と、
を含む、装置。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
ポリマーマトリクス;
該ポリマーマトリクス中のオクトレオチドを含む医薬活性成分;及び
界面活性剤を含む透過エンハンサー
を含む医薬組成物。
【請求項２】
前記界面活性剤が、カチオン性界面活性剤である、請求項1記載の医薬組成物。
【請求項３】
前記界面活性剤が、ドデシルトリメチルアンモニウムブロミド、グリシンベタインエステル、CTAB、BAC、又はCPCを含む、請求項1記載の医薬組成物。
【請求項４】
前記界面活性剤が、非イオン性又はアニオン性の界面活性剤、キレート化剤、シクロデキストリン、又は脂肪酸と組み合わされる、請求項1記載の医薬組成物。
【請求項５】
前記透過エンハンサーが、生分解性である、請求項1記載の医薬組成物。
【請求項６】
親水性サッカリドとの結合によって連結された疎水性アルキル基を有する、好適な無毒の非イオン性アルキル配糖体を、以下:(a)凝集阻害剤;(b)電荷修飾剤;(c)pH調節剤;(d)分解酵素阻害剤;(e)粘液溶解剤又は粘液除去剤;(f)線毛運動障害剤;(g)以下:(i)界面活性剤;(ii)胆汁酸塩;(iii)リン脂質添加剤、混合ミセル、リポソーム、もしくは担体;(iv)アルコール;(v)エナミン;(vi)NO供与化合物;(vii)長鎖両親媒性分子;(viii)低分子疎水性浸透エンハンサー;(ix)ナトリウム又はサリチル酸誘導体;(x)アセト酢酸のグリセロールエステル;(xi)シクロデキストリン又はβ-シクロデキストリン誘導体;(xii)中鎖脂肪酸;(xiii)キレート化剤;(xiv)アミノ酸又はその塩;(xv)N-アセチルアミノ酸又はその塩;(xvi)選択された膜成分に対して分解性の酵素;(xvii)脂肪酸合成の阻害剤;(xviii)コレステロール合成の阻害剤;及び(xix) (i)〜(xix)に記載の膜透過促進剤の任意の組合せから選択される膜透過促進剤;(h)上皮ジャンクション生理機能の調整剤;(i)血管拡張剤;(j)選択的輸送促進剤;並びに、(k)安定化送達ビヒクル、担体、粘膜付着性物質、支持体、又は複合体形成種であって、それとともに、前記化合物が効果的に配合され、会合され、含有され、封入され、又は結合されて、増強された粘膜送達のための該化合物の安定化をもたらす、前記安定化送達ビヒクル、担体、粘膜付着性物質、支持体、又は複合体形成種；から選択される粘膜送達促進剤と組み合わせて有する、請求項1記載の医薬組成物であって、該経粘膜的な送達促進剤を含む該化合物製剤が、対象の血漿中の該化合物の増大した生物学的利用能を提供する、前記医薬組成物。
【請求項７】
前記オクトレオチドが、閉塞層及び活性層を有する医薬フィルムから送達される、請求項1記載の医薬組成物。
【請求項８】
前記オクトレオチド及び透過エンハンサーが、医薬組成物フィルムの活性層に埋め込まれている、請求項1記載の医薬組成物。
【請求項９】
DDTMABの透過活性が、濃度依存的である、請求項1記載の医薬組成物。
【請求項１０】
300分以下の治療ウィンドウを有する、請求項1記載の医薬組成物。
【請求項１１】
治療ウィンドウにおいて50〜600ugのオクトレオチド透過を有する、請求項1記載の医薬組成物。
【請求項１２】
前記ポリマーマトリクスが、以下の群:プルラン、ポリビニルピロリドン、ポリビニルアルコール、アルギン酸ナトリウム、ポリエチレングリコール、キサンタンガム、トラガントガム、グアーガム、アカシアゴム、アラビアゴム、ポリアクリル酸、メチルメタクリレートコポリマー、カルボキシビニルコポリマー、デンプン、ゼラチン、エチレンオキシド-プロピレンオキシドコポリマー、コラーゲン、アルブミン、ポリアミノ酸、ポリホスファゼン、多糖、キチン、キトサン、及びそれらの誘導体から選択される少なくとも1つのポリマーを含む、請求項1記載の医薬組成物。
【請求項１３】
請求項1〜12のいずれか一項記載の医薬組成物を製造する方法であって、
界面活性剤を含む透過エンハンサーを、オクトレオチドを含む医薬活性成分と混合すること、及び
該オクトレオチドを含む医薬活性成分を、医薬フィルム中に埋め込むこと
を含む、前記方法。
【請求項１４】
前記界面活性剤が、以下の構造:
【化１】
2020535232.tif 000001
(式中:
Aは、窒素又はリンのいずれかであり;
Cは、切断可能な結合であり;
Bは、AをCと接続する基であり、かつアルキレン、アルケニレン、シクロアルキレン、もしくはアラルキレン基、又は1個以上のヘテロ原子を任意に含有するそれらの誘導体であり;
R1、R2、及びR3のそれぞれは、独立して、水素、1個以上のヘテロ原子を任意に有するアルキル、アルケニル、アルキニル、シクロアルキル、及びアラルキル基からなる群から選択され;
R4は、1個以上のヘテロ原子を任意に有するアルキル、アルケニル、アルキニル、シクロアルキル、及びアラルキル基からなる群から選択され;
D-は、A+に対するアニオン性の対イオンである)
を有する、請求項1記載の医薬組成物。
【請求項１５】
ある量の請求項1〜12のいずれか一項記載の医薬組成物を保持するハウジング；及び
所定の量の該医薬組成物を分配する開口部；を備える装置。
【手続補正書】
【提出日】令和3年10月1日(2021.10.1)
【手続補正１】
【補正対象書類名】特許請求の範囲
【補正対象項目名】全文
【補正方法】変更
【補正の内容】
【特許請求の範囲】
【請求項１】
以下の構造のブロックコポリマー。
【化１】
2020535296.tif 000001
（式中、ＲおよびＲ1は、同一であっても異なっていてもよく、それぞれ独立して、アルキルまたはアリール基を表し、Ｘは、水素、または分枝状もしくは直鎖状であってもよいＣ1−Ｃ20アルキル基であってもよく、ポリマーＢに結合した芳香環置換基は、ポリマーＡに結合した芳香環置換基に対してメタ位またはパラ位にあり、ポリマーＡは、エチレンのポリマー（またはコポリマー）であり、ポリマーＢは、酢酸ビニルのポリマーである）
【請求項２】
以下の構造のブロックコポリマーの使用であって、ポリエチレンおよびポリエチレンテレフタレートの共押出層間の接着を改善するための、ポリエチレンまたはポリエチレンテレフタレート中の添加剤としての使用。
【化２】
2020535296.tif 000002
（式中、ＲおよびＲ1は、同一であっても異なっていてもよく、それぞれ独立して、アルキルまたはアリール基を表し、Ｘは、水素、または分枝状もしくは直鎖状であってもよいＣ1−Ｃ20アルキル基であってもよく、ポリマーＢに結合した芳香環置換基は、ポリマーＡに結合した芳香環置換基に対してメタ位またはパラ位にあり、ポリマーＡは、エチレンのポリマー（またはコポリマー）であり、ポリマーＢは、酢酸ビニル、Ｃ1−Ｃ9アクリレートエステル、アクリル酸、およびこれらの混合物から選択されるモノマーのポリマーである）
【請求項３】
０．１質量％〜１５質量％の以下の構造のブロックコポリマーを含有するポリエチレンまたはポリエチレンテレフタレート。
【化３】
2020535296.tif 000003
（式中、ＲおよびＲ1は、同一であっても異なっていてもよく、それぞれ独立して、アルキルまたはアリール基を表し、Ｘは、水素、または分枝状もしくは直鎖状であってもよいＣ1−Ｃ20アルキル基であってもよく、ポリマーＢに結合した芳香環置換基は、ポリマーＡに結合した芳香環置換基に対してメタ位またはパラ位にあり、ポリマーＡは、エチレンのポリマー（またはコポリマー）であり、ポリマーＢは、酢酸ビニル、Ｃ1−Ｃ9アクリレートエステル、アクリル酸、およびこれらの混合物から選択されるモノマーのポリマーである）
【請求項４】
ポリエチレンテレフタレート層に結合したポリエチレン層を含む積層体であって、少なくとも１つの層が、以下の構造のブロックコポリマーを含有する、積層体。
【化４】
2020535296.tif 000004
（式中、ＲおよびＲ1は、同一であっても異なっていてもよく、それぞれ独立して、アルキルまたはアリール基を表し、Ｘは、水素、または分枝状もしくは直鎖状であってもよいＣ1−Ｃ20アルキル基であってもよく、ポリマーＢに結合した芳香環置換基は、ポリマーＡに結合した芳香環置換基に対してメタ位またはパラ位にあり、ポリマーＡは、エチレンのポリマー（またはコポリマー）であり、ポリマーＢは、酢酸ビニル、Ｃ1−Ｃ9アクリレートエステル、アクリル酸、およびこれらの混合物から選択されるモノマーのポリマーである）
【請求項５】
ポリエチレンテレフタレート層に結合したポリエチレン層に結合した紙層であって、前記ポリエチレン層および前記ポリエチレンテレフタレート層のうちの少なくとも１つの層が、以下の構造のブロックコポリマーを含有する、紙層。
【化５】
2020535296.tif 000005
（式中、ＲおよびＲ1は、同一であっても異なっていてもよく、それぞれ独立して、アルキルまたはアリール基を表し、Ｘは、水素、または分枝状もしくは直鎖状であってもよいＣ1−Ｃ20アルキル基であってもよく、ポリマーＢに結合した芳香環置換基は、ポリマーＡに結合した芳香環置換基に対してメタ位またはパラ位にあり、ポリマーＡは、エチレンのポリマー（またはコポリマー）であり、ポリマーＢは、酢酸ビニル、Ｃ1−Ｃ9アクリレートエステル、アクリル酸、およびこれらの混合物から選択されるモノマーのポリマーである）
【手続補正書】
【提出日】令和3年9月21日(2021.9.21)
【手続補正１】
【補正対象書類名】特許請求の範囲
【補正対象項目名】全文
【補正方法】変更
【補正の内容】
【特許請求の範囲】
【請求項１】
セラデルパル（Seladelpar）またはその塩である化合物を含む、胆汁うっ滞性そう痒の治療ための薬剤。
【請求項２】
セラデルパルまたはその塩が、セラデルパルL-リシン塩である、請求項1に記載の薬剤。
【請求項３】
セラデルパルL-リシン塩が、セラデルパルL-リシン二水和物塩である、請求項2に記載の薬剤。
【請求項４】
化合物が経口投与される、請求項1〜3のいずれか一項に記載の薬剤。
【請求項５】
化合物の量が、0.5 mg/日〜50 mg/日のセラデルパルに相当する、請求項1〜4のいずれか一項に記載の薬剤。
【請求項６】
化合物の量が、少なくとも1 mg/日のセラデルパルに相当する、請求項1〜5のいずれか一項に記載の薬剤。
【請求項７】
化合物の量が、25 mg/日以下のセラデルパルに相当する、請求項1〜6のいずれか一項に記載の薬剤。
【請求項８】
化合物の量が、2 mg/日、5 mg/日または10 mg/日のセラデルパルに相当する、請求項1〜7のいずれか一項に記載の薬剤。
【請求項９】
化合物の量が、2 mg/日のセラデルパルに相当する、請求項8に記載の薬剤。
【請求項１０】
化合物の量が、5 mg/日のセラデルパルに相当する、請求項8に記載の薬剤。
【請求項１１】
化合物の量が、10 mg/日のセラデルパルに相当する、請求項8に記載の薬剤。
【請求項１２】
化合物が、1日1回投与される、請求項1〜11のいずれか一項に記載の薬剤。
【請求項１３】
化合物が、1週間に1回から2日に1回投与される、請求項1〜11のいずれか一項に記載の薬剤。
【請求項１４】
胆汁うっ滞性そう痒が、肝胆道疾患に関連する、請求項1〜13のいずれか一項に記載の薬剤。
【請求項１５】
胆汁うっ滞性そう痒に関連する肝胆道疾患が、肝細胞性胆汁うっ滞である、請求項14に記載の薬剤。
【請求項１６】
胆汁うっ滞性そう痒に関連する肝胆道疾患が、胆管細胞性胆汁うっ滞である、請求項14に記載の薬剤。
【請求項１７】
胆汁うっ滞性そう痒に関連する肝胆道疾患が、閉塞性胆汁うっ滞である、請求項14に記載の薬剤。
【請求項１８】
胆汁うっ滞性そう痒が、肝内胆汁うっ滞性疾患に関連する、請求項1〜13のいずれか一項に記載の薬剤。
【請求項１９】
肝内胆汁うっ滞性疾患が、原発性胆汁性胆管炎、原発性硬化性胆管炎、進行性家族性肝内胆汁うっ滞またはアラジール症候群である、請求項18に記載の薬剤。
【請求項２０】
胆汁うっ滞性そう痒が、原発性胆汁性胆管炎に関連する、請求項19に記載の薬剤。
【請求項２１】
胆汁うっ滞性そう痒が、原発性硬化性胆管炎に関連する、請求項19に記載の薬剤。
【請求項２２】
胆汁うっ滞性そう痒が、進行性家族性肝内胆汁うっ滞に関連する、請求項19に記載の薬剤。
【請求項２３】
胆汁うっ滞性そう痒が、アラジール症候群に関連する、請求項19に記載の薬剤。
【請求項２４】
胆汁うっ滞性そう痒が、妊娠中肝内胆汁うっ滞に関連する、請求項1〜13のいずれか一項に記載の薬剤。
【手続補正書】
【提出日】令和3年8月25日(2021.8.25)
【手続補正１】
【補正対象書類名】特許請求の範囲
【補正対象項目名】全文
【補正方法】変更
【補正の内容】
【特許請求の範囲】
【請求項１】
ケトン食療法を開始または維持しているてんかん性脳症と診断された患者を治療するための製剤であって、フェンフルラミン塩酸塩、濃度2mg/mLのメチルパラベンナトリウム、濃度0.2mg/mLのエチルパラベンナトリウム、濃度1.0mg/mLのスクラロース、濃度5.0mg/mLのヒドロキシエチルセルロース、濃度1.0mg/mLの香味剤、濃度10.2mg/mLのクエン酸カリウム一水和物、濃度5.5mg/mLのクエン酸一水和物、および水を含み、
フェンフルラミン塩酸塩が該製剤中に0.5mg/mL〜5mg/mLの範囲の濃度で存在し、かつケトン食療法の遵守を促進し、
該製剤は、患者に数日間にわたって与えられるケトン食療法と組み合わせて、数日間にわたって患者に投与される、該製剤。
【請求項２】
てんかん性脳症が、ドラベ症候群、レノックス・ガストー症候群、およびドーゼ症候群からなる群より選択されるか、または、CDKL5変異もしくはMECP2変異によって引き起こされる、請求項1に記載の製剤。
【請求項３】
ケトン食療法の付与と前記製剤の投与が数週間にわたる、請求項1に記載の製剤。
【請求項４】
てんかん性脳症がドラベ症候群である、請求項3に記載の製剤。
【請求項５】
てんかん性脳症が、レノックス・ガストー症候群である、請求項3に記載の製剤。
【請求項６】
てんかん性脳症が、CDKL5変異によって引き起こされる、請求項3に記載の製剤。
【請求項７】
フェンフルラミン塩酸塩の濃度が、フェンフルラミン遊離塩基の2.2mg/mLに対応する2.5mg/mLである、請求項3に記載の製剤。
【請求項８】
ケトン食療法の付与と前記製剤の投与が数ヵ月間にわたる、請求項1に記載の製剤。
【請求項９】
前記製剤の投与が、前記ケトン食療法の各食事と同時、前記ケトン食療法の各食事の直前、または前記ケトン食療法の各食事の直後であり、てんかん性脳症が、ドラベ症候群もしくはレノックス・ガストー症候群であるか、またはCDKL5変異によって引き起こされる、請求項8に記載の製剤。
【請求項１０】
前記患者が18歳未満である、請求項1に記載の製剤。
【請求項１１】
香味剤が、チェリーフレーバーパウダーである、請求項1に記載の製剤。
【手続補正２】
【補正対象書類名】明細書
【補正対象項目名】００３６
【補正方法】変更
【補正の内容】
【００３６】
また、前記方法の態様を実施する際の使用を見出している組成物およびキットも提供される。
[本発明1001]
ケトン食療法の遵守を向上させるための製剤の使用であって、
該製剤が、治療有効用量のフェンフルラミンまたはその薬学的に許容される塩、塩基、もしくは酸を含み、かつ
該使用が、炭水化物に対する渇望のベースラインからの低下を患者が示すまで数日間にわたって該患者に該製剤を繰り返し投与するためである、
該使用。
[本発明1002]
前記患者がドラベ症候群と診断されている、本発明1001または1002の使用。
[本発明1003]
ケトン食療法を受けている状態に数週間にわたって前記患者を維持するためである、本発明1001〜1003のいずれかの使用。
[本発明1004]
ケトン食療法を受けている状態に数ヶ月間にわたって前記患者を維持するためである、本発明1001〜1004のいずれかの使用。
[本発明1005]
前記患者が、ドラベ症候群、レノックス・ガストー症候群、およびドーゼ（Doose）症候群からなる群より選択される難治性てんかんと診断されている、本発明1001〜1004のいずれかの使用。
[本発明1006]
前記製剤が、前記ケトン食療法の各食事と同時に、前記ケトン食療法の各食事の直前に、または前記ケトン食療法の各食事の直後に使用するためのものである、本発明1001〜1005のいずれかの使用。
[本発明1007]
前記製剤が、スクラロース、香味剤、緩衝剤、防腐剤、および粘稠化剤を含む、本発明1001〜1006のいずれかの使用。
[本発明1008]
前記患者が18歳未満である、本発明1001〜1007のいずれかの使用。
[本発明1009]
治療有効量のフェンフルラミン活性剤と、薬学的に許容されるビヒクルとを含む、液体製剤であって、
該製剤が、容易に消化できる炭水化物を含まず、かつ、炭水化物渇望を軽減させ、したがって、ケトン食療法の遵守を促進し、
該フェンフルラミン活性剤が、フェンフルラミン塩基またはその薬学的に許容される塩もしくは複合体であり、該製剤が、スクラロースと香味剤と緩衝剤と防腐剤と粘稠化剤とを含む水性製剤である、
該液体製剤。
[本発明1010]
前記香味剤が、チェリー香味剤、オレンジ香味剤、ストロベリー香味剤、ラズベリー、ミックスベリー、ブドウ、マンダリン、スウィートタンジェリン、およびそれらの組み合わせからなる群より選択される、本発明1009の液体フェンフルラミン製剤。
[本発明1011]
前記緩衝剤が、クエン酸カリウム一水和物、無水クエン酸カリウム、リン酸カリウム、クエン酸一水和物、無水クエン酸、およびそれらの組み合わせからなる群より選択される、本発明1010の液体フェンフルラミン製剤。
[本発明1012]
前記防腐剤が、メチルパラベン、エチルパラベン、プロピルパラベン、ソルビン酸、ソルビン酸カリウム、安息香酸ナトリウム、安息香酸、プロピオン酸、およびそれらの組み合わせからなる群より選択される、本発明1011の液体フェンフルラミン製剤。
[本発明1013]
前記粘稠化剤が、ヒドロキシエチルセルロース、キサンタンガム、ポビドン、ヒドロキシプロピルセルロース、ヒドロキシプロピルメチルセルロース、コポビドン、アカシアガム、グアーガム、ローカストビーンガム、ポリエチレンオキシド、およびそれらの組み合わせからなる群より選択される、本発明1012の液体フェンフルラミン製剤。
[本発明1014]
フェンフルラミン塩酸塩、濃度2mg/mLのメチルパラベンナトリウム、濃度0.2mg/mLのエチルパラベンナトリウム、濃度1.0mg/mLのスクラロース、濃度5.0mg/mLのヒドロキシエチルセルロース、濃度1.0mg/mLのチェリーフレーバーパウダー、濃度10.2mg/mLのクエン酸カリウム一水和物、濃度5.5mg/mLのクエン酸一水和物、および水
を含む、液体フェンフルラミン製剤であって、
該フェンフルラミン塩酸塩が該製剤中に1.25mg/mLの濃度で存在する、
該液体フェンフルラミン製剤。
[本発明1015]
炭水化物に対する渇望のベースラインからの低下を患者が示すまで数日間にわたって該患者に前記製剤を繰り返して投与し、それによってケトン食療法を受けている状態に該患者を維持するためである、サブタイプのてんかんと診断された対象を治療するための、本発明1009〜1014のいずれかの製剤の使用。
【手続補正書】
【提出日】令和3年9月27日(2021.9.27)
【手続補正１】
【補正対象書類名】特許請求の範囲
【補正対象項目名】全文
【補正方法】変更
【補正の内容】
【特許請求の範囲】
【請求項１】
活性成分として、ＣＣＮ５タンパク質またはその断片をコードするヌクレオチド配列を含む遺伝子コンストラクトを含む、不整脈を予防または治療するための医薬組成物。
【請求項２】
ＣＣＮ５タンパク質が配列番号１によって表されるアミノ酸配列を有する、請求項１に記載の医薬組成物。
【請求項３】
ＣＣＮ５タンパク質をコードするヌクレオチド配列が配列番号２によって表される配列である、請求項１に記載の医薬組成物。
【請求項４】
遺伝子コンストラクトがそれに作動可能に連結したプロモーター配列を含む、請求項１〜３のいずれかに記載の医薬組成物。
【請求項５】
プロモーターが、ＣＭＶプロモーター、アデノウイルス後期プロモーター、ワクシニアウイルス７．５Ｋプロモーター、ＳＶ４０プロモーター、ＨＳＶ  ｔｋプロモーター、ＲＳＶプロモーター、ＥＦ１アルファプロモーター、メタロチオネインプロモーター、ベータ−アクチンプロモーター、ヒトＩＬ−２遺伝子プロモーター、ヒトＩＦＮ遺伝子プロモーター、ヒトＩＬ−４遺伝子プロモーター、ヒトリンホトキシン遺伝子プロモーターおよびヒトＧＭ−ＣＳＦ遺伝子プロモーターからなる群から選択されるいずれか１つである、請求項４に記載の医薬組成物。
【請求項６】
遺伝子コンストラクトがＳＥＲＣＡ２ａタンパク質またはその断片をコードするヌクレオチド配列をさらに含む、請求項１〜５のいずれかに記載の医薬組成物。
【請求項７】
遺伝子コンストラクトにおいて、ＳＥＲＣＡ２ａタンパク質またはその断片をコードするヌクレオチド配列が、５’から３’の方向で、ＳＥＲＣＡ２ａタンパク質またはその断片をコードするヌクレオチド配列−ＣＣＮ５タンパク質またはその断片をコードするヌクレオチド配列の順に含まれる、請求項６に記載の医薬組成物。
【請求項８】
遺伝子コンストラクトが、ＳＥＲＣＡ２ａタンパク質またはその断片をコードするヌクレオチド配列とＣＣＮ５タンパク質またはその断片をコードするヌクレオチド配列の間に位置する自己切断配列を含む、請求項７に記載の医薬組成物。
【請求項９】
自己切断配列が、ブタテッショウウイルス−１、ゾセア・アシグナウイルス、ウマ鼻炎Ａウイルスまたは口蹄疫ウイルスに由来する２Ａペプチドをコードするヌクレオチド配列である、請求項８に記載の医薬組成物。
【請求項１０】
自己切断配列がブタテッショウウイルス−１に由来する２Ａペプチドをコードするヌクレオチド配列である、請求項８に記載の医薬組成物。
【請求項１１】
自己切断配列が配列番号６によって表されるヌクレオチド配列である、請求項８に記載の医薬組成物。
【請求項１２】
不整脈が心房性不整脈または心室性不整脈である、請求項１〜１１のいずれかに記載の医薬組成物。
【請求項１３】
活性成分として、ＣＣＮ５タンパク質またはその断片をコードするヌクレオチド配列を搭載している発現ベクターを含む、不整脈を予防または治療するための医薬組成物。
【請求項１４】
発現ベクターがＳＥＲＣＡ２ａタンパク質またはその断片をコードするヌクレオチド配列をさらに搭載する、請求項１３に記載の医薬組成物。
【請求項１５】
発現ベクターにおいて、ＳＥＲＣＡ２ａタンパク質またはその断片をコードするヌクレオチド配列が、５’から３’の方向で、ＳＥＲＣＡ２ａタンパク質またはその断片をコードするヌクレオチド配列−ＣＣＮ５タンパク質またはその断片をコードするヌクレオチド配列の順に含まれる、請求項１４に記載の医薬組成物。
【請求項１６】
発現ベクターが、ＳＥＲＣＡ２ａタンパク質またはその断片をコードするヌクレオチド配列とＣＣＮ５タンパク質またはその断片をコードするヌクレオチド配列の間に位置する自己切断配列をさらに含む、請求項１５に記載の医薬組成物。
【請求項１７】
発現ベクターが、プラスミドベクターおよびコスミドベクターからなる群から選択されるいずれか１つである、請求項１３〜１６のいずれかに記載の医薬組成物。
【請求項１８】
活性成分として、ＣＣＮ５タンパク質またはその断片をコードするヌクレオチド配列を含む組換えウイルスを含む、不整脈を予防または治療するための医薬組成物。
【請求項１９】
ウイルスが、アデノウイルス、アデノ随伴ウイルス（ＡＡＶ）、レトロウイルス、レンチウイルス、単純ヘルペスウイルスおよびワクシニアウイルスからなる群から選択されるいずれか１つである、請求項１８に記載の医薬組成物。
【請求項２０】
組換えウイルスが、ＳＥＲＣＡ２ａタンパク質またはその断片をコードするヌクレオチド配列をさらに含む、請求項１８または１９に記載の医薬組成物。
【請求項２１】
ＣＣＮ５タンパク質を含む、不整脈を予防または治療するための医薬組成物。
【請求項２２】
ＳＥＲＣＡ２ａタンパク質をさらに含むか、またはＳＥＲＣＡ２ａタンパク質との組合せにおける使用のための、請求項２１に記載の医薬組成物。
【請求項２３】
不整脈を予防または治療するための医薬の製造のための、ＣＣＮ５タンパク質またはその断片をコードするヌクレオチド配列を含む遺伝子コンストラクト、ＣＣＮ５タンパク質またはその断片をコードするヌクレオチド配列を搭載している発現ベクター、またはＣＣＮ５タンパク質またはその断片をコードするヌクレオチド配列を含む組換えウイルスの使用。
【手続補正書】
【提出日】令和3年8月18日(2021.8.18)
【手続補正１】
【補正対象書類名】特許請求の範囲
【補正対象項目名】全文
【補正方法】変更
【補正の内容】
【特許請求の範囲】
【請求項１】
下記の成分を含むことを特徴とする接着剤組成物：
−リン酸ナトリウム、リン酸カリウムおよびこれらのリン酸塩の混合物から選択されるリン酸塩、および
−下記の成分をベースとする少なくとも１種の樹脂：
・下記の成分から選択される少なくとも１種の化合物A1：
o 少なくとも２個の官能基を含み、これらの官能基の一方はヒドロキシメチル官能基であり、他方はアルデヒド官能基またはヒドロキシメチル官能基である化合物A11、または
o 少なくとも１個のアルデヒド官能基を含む化合物A12、または
o 化合物A11と化合物A12の混合物、および
・少なくとも１種のフェノールA21。
【請求項２】
前記接着剤組成物の含水量が70質量％と95質量％の間である、請求項１記載の接着剤組成物。
【請求項３】
前記リン酸塩がリン酸ナトリウムである、請求項１または２記載の接着剤組成物。
【請求項４】
前記組成物のpHが厳密に７よりも大きい、請求項１〜３のいずれか１項記載の接着剤組成物。
【請求項５】
化合物A12が、少なくとも１個のアルデヒド官能基を担持する少なくとも１個の芳香核を含む、請求項１〜４のいずれか１項記載の接着剤組成物。
【請求項６】
化合物A11が、一般式(II'a1)または(II'a2)に対応する、請求項１〜５のいずれか１項記載の接着剤組成物：
【化１】
2020535268.tif 000001
(II'a1)                        (II'a2)
【請求項７】
前記フェノールA21が下記の成分から選択される、請求項１〜６のいずれか１項記載の接着剤組成物：
o 少なくとも２個のヒドロキシル官能基を互いに対してメタ位置に担持し、少なくとも１個の前記ヒドロキシル官能基の２つのオルト位置は置換されていない少なくとも１個の芳香核を含む芳香族ポリフェノールA2
o 単一のヒドロキシル官能基を担持する少なくとも１個の６員芳香核を含む芳香族モノフェノールA2'であって、
− 前記ヒドロキシル官能基の２つのオルト位置は置換されていないか、または
− 前記ヒドロキシル官能基の少なくとも１つのオルト位置およびパラ位置は置換されていない、前記芳香族モノフェノールA2'
o A2とA2'の混合物。
【請求項８】
請求項１〜７のいずれか１項記載の接着剤組成物をベースとする接着剤層で被覆されていることを特徴とする被覆導電性要素。
【請求項９】
請求項８記載の導電性要素を含むことを特徴とするタイヤ(1)。
【請求項１０】
請求項８記載の被覆導電性要素を含むことを特徴とするベルト(P)。
【手続補正書】
【提出日】令和3年9月7日(2021.9.7)
【手続補正１】
【補正対象書類名】特許請求の範囲
【補正対象項目名】全文
【補正方法】変更
【補正の内容】
【特許請求の範囲】
【請求項１】
各々が衣服の複数の主要な部分の１つを形成し、各々が複数の縫い目の縁によって画定されたパターンを有する複数の制限された伸縮性の衣服パネルと、
複数の伸縮パネルと
を備える衣服であって、前記衣服パネルは、事前に選択された縫い目の縁の事前に選択された部分に前記伸縮パネルを含むように一緒に縫い合わされている衣服。
【請求項２】
前記伸縮パネルの各々は、前記制限された伸縮性の衣服パネルの各々の第１の伸張率の少なくとも２倍である第２の伸張率を有する、請求項１に記載の衣服。
【請求項３】
制限された伸縮特性を有する第１の生地を利用して各々が作成された複数の衣服パネルであって、各々が、前記衣服の複数の主要な部分の１つを形成し、複数の縫い目の縁を有する複数の衣服パネルと、
制限された伸縮特性を持たない第２の生地を利用して各々が作成された複数の伸縮パネルであって、各々が、前記複数の衣服パネルの１つまたは複数の前記縫い目の縁の間に取り付けられる複数の伸縮パネルと
を備える衣服。
【請求項４】
前記第１の生地は織り地であり、前記第２の生地は編み地である、請求項２に記載の衣服。
【請求項５】
前記衣服パネルは、対応する主要な部分の少なくとも第１の対を備え、対応する主要な部分の前記第１の対の各々は一対の脇の縫い目を有し、各々の脇の縫い目は、前記主要な部分の反対の位置の縁に配置されており、前記複数の伸縮パネルの第１の対の各１つは、対応する主要な部分の前記脇の縫い目の間に取り付けられる、請求項３に記載の衣服。
【請求項６】
対応する主要な部分の前記第１の対の各々は、肩の縫い目の少なくとも第１の対をさらに含んでおり、各々の肩の縫い目は、前記主要な部分の頂部の縁に配置され、ネックライン部分によって隔てられており、前記複数の伸縮パネルの第２の対の各１つは、主要な部分の対応する第１の対の前記肩の縫い目の間に取り付けられる、請求項５に記載の衣服。
【請求項７】
対応する主要な前記第１の対の各々は、前記それぞれの脇の縫い目と前記肩の縫い目との間の前記主要な部分の反対の位置の縁に配置された一対の腕の開口部をさらに含んでおり、前記衣服パネルは、主要な部分の第２の対をさらに備え、対応する主要な部分の前記第２の対の各々は、袖として形成され、それぞれの腕の開口部に取り付けられ、対応する主要な部分の前記第２の対の各々は、一対の脇の下の縫い目を有しており、前記複数の伸縮パネルの第３の対の各１つは、主要な部分の前記第２の対のそれぞれ１つの前記脇の下の縫い目の間に取り付けられる、請求項６に記載の衣服。
【請求項８】
前記織り地は、天然繊維、合成繊維、または天然繊維と合成繊維の混紡を含む、請求項４に記載の衣服。
【請求項９】
前記天然繊維は、ウール、絹、カシミア、綿、麻またはモヘアを含む、請求項８に記載の衣服。
【請求項１０】
前記第１の生地は、１５パーセントを超えない生地の伸張率を有する、請求項３に記載の衣服。
【請求項１１】
前記第２の生地は、１５パーセントを超える生地の伸張率を有する、請求項１０に記載の衣服。
【請求項１２】
前記第２の生地は、前記第１の生地の第１の伸張率の２倍である第２の伸張率を有する、請求項３に記載の衣服。
【請求項１３】
前記記複数の衣服パネルの１つが正面パネルであることと、
前記複数の伸縮パネルの１つが背面パネルであることを
さらに含む、請求項３に記載の衣服。
【請求項１４】
前記正面パネルと前記背面パネルとの間に取り付けられた少なくとも一対の追加の伸縮パネルをさらに備える、請求項１３に記載の衣服。  
【請求項１５】
制限された伸縮特性を有する第１の生地を利用して各々が作成された複数の衣服パネルであって、
ネックラインの縫い目の縁と、正面パネルの頂部の縁に沿って前記ネックラインの縫い目の縁の反対の側にある一対の肩の縫い目の縁と、前記正面パネルの対応する脇の縁にある一対の脇の縫い目の縁と、それぞれの脇の縫い目の縁をそれぞれの肩の縫い目の縁につないでおり、前記正面パネルの反対の位置にある頂部の角部分にわたって形成された一対の腕の縫い目の縁とを有する正面パネルと、
ネックラインの縫い目の縁と、背面パネルの頂部の縁に沿って前記正面パネル上の前記肩の縫い目の縁に一致する一対の肩の縫い目の縁と、
前記正面パネル上の前記脇の縫い目の縁に一致する一対の脇の縫い目の縁と、
前記正面パネル上の前記肩の縫い目の縁に一致する一対の腕の縫い目の縁とを有する背面パネルと
を含む複数の衣服パネルと、
制限された伸縮特性を持たない第２の生地を利用して各々が作成された複数の伸縮パネルであって、
前記伸縮パネルの第１の対の各１つが、前記正面パネルと前記背面パネルの前記対応する脇の縫い目の間に取り付けられることと、
前記伸縮パネルの第２の対の各１つが、前記正面パネルと前記背面パネルの前記対応する肩の縫い目の間に取り付けられることと
を含む複数の伸縮パネルと
を備える衣服。
【請求項１６】
前記第１の生地は織り地であり、前記第２の生地は編み地である、請求項１５に記載の衣服。
【手続補正書】
【提出日】令和3年3月15日(2021.3.15)
【手続補正１】
【補正対象書類名】明細書
【補正対象項目名】００４９
【補正方法】変更
【補正の内容】
【００４９】
制御器６００は、複数本のノズル５１１のうちの一部のノズルまたは一部のノズルグループに供給するガス量と、残りのノズルまたは残りのノズルグループに供給するガス量とが異なるようにガス供給器５２０を制御する。すなわち、制御器６００は、複数本のノズル５１１のうちの一部のノズルに供給するガス量と、残りのノズルに供給するガス量とが異なるようにガス供給器５２０を制御する。あるいは、制御器６００は、一部のノズルグループに供給するガス量と、残りのノズルグループに供給するガス量とが異なるようにガス供給器５２０を制御する。
【手続補正２】
【補正対象書類名】明細書
【補正対象項目名】００６０
【補正方法】変更
【補正の内容】
【００６０】
複数本のノズル５１１は、周方向に離隔して各分面に少なくとも１本以上配設されてもよく、各分面に配設されたノズル同士がノズルグループを形成して、複数本のノズル５１１が複数のノズルグループ５１０を形成してもよい。
【手続補正３】
【補正対象書類名】明細書
【補正対象項目名】００６２
【補正方法】変更
【補正の内容】
【００６２】
各分面に配設されるノズル５１１を各ノズルグループ５１０にグループ分けするように、複数本の分配管５１２が各分面に配設されてもよい。１分面に１分配管が配設されて１分面内のノズルに接続される方式により、複数本の分配管５１２が各分面内に配設されて各分面内のノズルに接続されてもよい。
【手続補正４】
【補正対象書類名】明細書
【補正対象項目名】００６４
【補正方法】変更
【補正の内容】
【００６４】
ガス供給器５２０は、複数本のガス供給管５３０を介して複数本のノズルグループ５１０にそれぞれ接続されて、複数本のノズル５１１にガスを供給してもよい。このとき、各ノズルグループ別にガスの供給を調節してもよい。この作動は、制御器６００により制御されてもよい。
【手続補正５】
【補正対象書類名】明細書
【補正対象項目名】００８７
【補正方法】変更
【補正の内容】
【００８７】
一方、複数の分面のうちのいずれか１つの分面に配設されたノズルグループにガスの総量の４０％未満でガスを供給しつつ、上述したいずれか１つの分面を除く残りの分面にそれぞれ配設されたノズルグループにガスの総量の６０％以上でガスを供給すれば、上昇管の上部区域に所望の分だけ渦流区域を拡大させることができない。また、複数の分面のうちのいずれか１つの分面に配設されたノズルグループにガスの総量の５０％超えでガスを供給しつつ、上述したいずれか１つの分面を除く残りの分面にそれぞれ配設されたノズルグループにガスの総量の５０％以下でガスを供給する場合には、複数の分面のうちのいずれか１つの分面に配設されたノズルグループにガスの総量の４０％〜５０％を供給しつつ、上述したいずれか１つの分面を除く残りの分面にそれぞれ配設されたノズルグループにガスの総量の５０％〜６０％を供給する場合よりも、乱流エネルギーが小さくなる。すなわち、効率が低下する。このような数値限定の臨界的な意義は、以下において最適な乱流強化還流パターンを導き出す過程を通して明らかに確認することができる。
【手続補正６】
【補正対象書類名】明細書
【補正対象項目名】００９５
【補正方法】変更
【補正の内容】
【００９５】
図６は、本発明の実験例に係る溶鋼の流動解析条件を説明するための表である。図６を参照すると、基準となる１番の実験例（Ｃａｓｅ  １）は、比較例に対する解析条件である。各実験例をＣａｓｅ  １〜Ｃａｓｅ  ６に分ける。ここで、各実験例を第１乃至第６の実験例と称する。図７は、本発明の実験例に係る溶鋼の流動の解析結果を説明するための表である。
【手続補正７】
【補正対象書類名】明細書
【補正対象項目名】００９９
【補正方法】変更
【補正の内容】
【００９９】
第４の実験例（Ｃａｓｅ  ４）と第６の実験例（Ｃａｓｅ  ６）と第５の実験例（Ｃａｓｅ  ５）は、実施例に含まれる実験例であって、実施例に係る条件で溶鋼の流動を数値解析し、流動の解析結果を導き出した。これらの実験例のガスの供給条件は、図６に示す通りである。
【手続補正８】
【補正対象書類名】明細書
【補正対象項目名】０１００
【補正方法】変更
【補正の内容】
【０１００】
各実験例において、上昇管を介して真空槽に上昇した溶鋼は、垂直方向にほとんどが移動するが、真空槽の下部近くの上昇管と接続される部位において下降管を向く方向に切り換えられるが、これを横流と称する。横流が生成されることにより、溶鋼の全体の還流区間内の一部の区域において渦流が生じる。
【手続補正９】
【補正対象書類名】明細書
【補正対象項目名】０１０２
【補正方法】変更
【補正の内容】
【０１０２】
すなわち、上記の実験例は、上昇管と真空槽内の渦流区域を増加させることにより乱流エネルギーを増加させ、溶鋼流れの衝突機会を増加させるべく、４つの分面の流量を異なるように制御する５つの実験例と、基準とするための４つの分面の流量を同量にする１つの実験例とを選定して、合計で６つの実験例の数値解析を行ったものである。すなわち、第１の実験例は、流量を同量に制御し、第２及び第３の実験例は、流量を異なるように制御するが、対称的に制御し、第４乃至第６の実験例は、流量を異なるように制御しつつ、非対称的に制御した実験例である。
【手続補正１０】
【補正対象書類名】明細書
【補正対象項目名】０１０３
【補正方法】変更
【補正の内容】
【０１０３】
各実験例における数値解析の結果は、図７の通りである。図７の表から明らかなように、既存の操業方法である第１の実験例（Ｃａｓｅ  １）を基準とするとき、乱流エネルギーが最も大幅に増加した第５の実験例（Ｃａｓｅ  ５）の場合の方が、最も介在物の相互間の衝突機会を増加させ得る方法であると認められ、したがって、本発明の実施例が妥当であることを検証することができるのである。
【手続補正１１】
【補正対象書類名】明細書
【補正対象項目名】０１０４
【補正方法】変更
【補正の内容】
【０１０４】
さらに、図４を参照して、第５の実験例（Ｃａｓｅ  ５）の流動の解析結果を参照すると、上昇管の上部に渦流区域が拡大することを確認することができる。なお、図５から明らかなように、第５の実験例の場合、真空槽内の溶鋼の流動においても溶鋼の流れの衝突区域が下降管の直ぐ上部に生じてさらなる介在物の相互間の衝突もまた起きる可能性があることを予想することができる。
【手続補正１２】
【補正対象書類名】明細書
【補正対象項目名】０１１３
【補正方法】変更
【補正の内容】
【０１１３】
１００    真空槽
１１０    上槽
１１０ａ  投入口
１１０ｂ  排出通路
１１０ｃ  サンプラー通路
１２０    下槽
２００    ランス
３００    還流管
３００ａ  第１の還流管
３００ｂ  第２の還流管
４００    浸漬管
４００ａ  第１の浸漬管
４００ｂ  第２の浸漬管
５１０    ノズルグループ
５１１    ノズル
５１２    分配管
５２０    ガス供給器
６００    制御器
７００    容器
【手続補正１３】
【補正対象書類名】図面
【補正対象項目名】図１
【補正方法】変更
【補正の内容】
【図１】
2020535308.tif 000001